(57)【要約】【課題】製造過程や包装運搬時において、センサの端子部分が破損しにくい吸収性物品を提供すること。【解決手段】尿パッド１００の前方縁１８０側端部には、センサ部材１１０の出力端子部１１５が配置される。尿パッド１００の前方縁１８０側端部は、表面シート部１０５及び裏面シート部１０６のみで形成されており、表面シート部１０５と裏面シート部１０６とは互いに接合されておらず、離間可能に配置される。尿パッド１００の不使用時において、出力端子部１１５は表面シート部１０６と裏面シート部１０６とにより被覆された状態となる。また、使用時には、表面シート部１０５と裏面シート部１０６とが厚さ方向に離間されセンサ部材１１０の出力端子部１１５が露出される。【選択図】図４
2008272051.tif 000002
【特許請求の範囲】
【請求項１】
排泄部を有する装着対象に前記排泄部を覆うように配置される縦長状の吸収性物品であって、
少なくとも一部が液透過性の表面シート部と、
液不透過性の裏面シート部と、
前記表面シート部と前記裏面シート部との間に該吸収性物品における長手方向に沿うように配置され、前記排泄部から排泄された液体を検知可能な細長状のセンサ部材と、を備え、
前記センサ部材の前記長手方向における一端側には、端子部が形成され、
第１態様において、前記端子部は、前記表面シート部及び前記裏面シート部により被覆され、
第２態様において、前記端子部は、前記表面シート部及び前記裏面シート部により被覆されず外部に露出される吸収性物品。
【請求項２】
該吸収性物品における外縁に形成され前記表面シート部と前記裏面シート部とを接合する接合部と、
前記外縁における前記長手方向の一端を含む領域に形成され前記表面シート部と前記裏面シート部とが接合されない非接合部と、を備え、
前記第１態様において、前記非接合部における前記表面シート部及び前記裏面シート部は互いに積層された状態であって、前記端子部は、前記表面シート部及び前記裏面シート部により被覆され、
前記第２態様において、前記非接合部における前記表面シート部及び前記裏面シート部は互いに離間した状態であって、前記端子部は、前記表面シート部と前記裏面シート部とに被覆されず外部に露出される請求項１に記載の吸収性物品。
【請求項３】
前記非接合部に形成され前記表面シート部と前記裏面シート部とを離間可能に仮止めする仮止め部と、をさらに備える請求項２に記載の吸収性物品。
【請求項４】
前記センサ部材は、第１部材と、前記第１部材に積層配置されると共に、前記第１部材に積層された状態で前記長手方向に摺動可能な前記端子部を有する第２部材と、を備え、
前記第１態様において、前記第２部材は該吸収性物品における外縁よりも内側に配置されて、前記端子部は、前記表面シート部及び前記裏面シート部により被覆され、
前記第２態様において、前記第２部材は前記長手方向における外側に摺動して、前記端子部は、前記表面シート部及び前記裏面シート部により被覆されず外部に露出される請求項１に記載の吸収性物品。
【請求項５】
該吸収性物品の長手方向における一方の端部側の前記表面シート部及び前記裏面シート部には、該吸収性物品の幅方向に延びるように複数の切り込み部が間欠的に形成され、
前記表面シート部及び前記裏面シート部における前記複数の切り込み部から前記一方の端部までの端部領域は、該吸収性物品から分離可能であり、
前記第１態様において、前記表面シート部及び前記裏面シート部は互いに積層された状態であって、前記端子部は、前記表面シート部及び前記裏面シート部により被覆され、
前記第２態様において、前記端部領域は該吸収性物品から分離されて、前記端子部は、前記表面シート部と前記裏面シート部とに被覆されず外部に露出される請求項１に記載の吸収性物品。
【請求項６】
前記複数の切り込み部の前記長手方向における他端側には、前記複数の切り込み部と略平行に他の切り込み部が複数形成され、
前記複数の切り込み部と前記複数の他の切り込み部との間の領域は、該吸収性物品から分離可能である請求項５に記載の吸収性物品。
【請求項７】
前記複数の切り込み部は、前記表面シート部又は前記裏面シート部それぞれにおける平均剛性よりも高剛性である高剛性領域に形成される請求項５又は６に記載の吸収性物品。
【請求項８】
該吸収性物品における外縁に形成され前記表面シート部と前記裏面シート部とを接合する接合部と、
前記外縁における前記長手方向の一端を含む領域に形成され前記表面シート部と前記裏面シート部とが接合されない非接合部と、を備え、
前記第１態様において、前記表面シート部及び前記裏面シート部は互いに積層された状態であって、前記端子部は、前記表面シート部及び前記裏面シート部により被覆され、
前記第２態様において、前記表面シート部及び前記裏面シート部における前記一端が前記長手方向における内側に移動され、前記端子部は、前記表面シート部と前記裏面シート部とに被覆されず外部に露出される請求項１に記載の吸収性物品。
【請求項９】
前記表面シート部及び／又は前記裏面シート部における前記一端側には、前記第１態様から前記第２態様へ変更させるための操作態様を指示する案内表示を備える請求項１から８のいずれかに記載の吸収性物品。
【発明の詳細な説明】
【技術分野】
【０００１】
本発明は、吸収性物品に関する。
【背景技術】
【０００２】
自力で起き上がることが困難な寝たきりの老人や病人等の要介護者に対する介護の主要項目として排泄物の処理が挙げられる。排泄の介護は、被介護者の身体に合わせて選択されるが、被介護者が排泄の調節ができない場合や夜間における排泄物の処理を行うものとして、オムツのような吸収性物品が知られている。この、オムツ等の吸収性物品は、排泄された尿等の排泄物を該吸収性物品の外に漏れ出さないように保持するものである。
【０００３】
オムツ等の吸収性物品は、介護者にとっては簡便に使用することができ介護の負担を減らすものである。しかし、長時間排泄物が保持された場合に、吸収性物品に保持された排泄物からにおいや菌が発生することで被介護者に悪影響が生じる場合がある。また、頻尿等の症状により多量の排泄物が排泄され、吸収性物品で保持しきれずに漏れが生じると、汚れた衣類等を交換しなければならず、介護者の負担が増大する原因ともなっている。
【０００４】
これに対して、尿レシーバと、尿レシーバに接続される吸引管と、尿レシーバの外に置かれる吸引機構とを備える介護システムが提案されている（例えば、特許文献１参照）。特許文献１に開示される介護システムによれば、被介護者から排泄される尿等の排泄物を尿レシーバが受けると共に、尿レシーバにより受けられた尿等は吸引機構により尿レシーバの外部に吸引される。これにより、被介護者から排泄された排泄物が外部に漏れ出さないようにすると共に、排泄物が尿レシーバに保持されることがなく、排泄物が被介護者の皮膚に長時間触れることがない。また、多量の排泄物が排泄されるような場合でも尿レシーバを長時間交換することなく要介護者に装着させることができる。
【特許文献１】特開２００７−４４４９４号公報
【０００５】
ここで、特許文献１の尿レシーバは、排尿されたことを検知する尿センサを有する。尿センサは樹脂フィルムに電極が形成されており、自動尿処理装置に電気的に接続するために電極が露出されている部分を備えている。自動尿処理装置に接続された配線の先端に備えられたクリップがこの電極の露出部分を挟持することにより、センサと自動尿処理装置とが電気的に接続される。
【発明の開示】
【発明が解決しようとする課題】
【０００６】
クリップが接続されるセンサの端子部分は、尿レシーバから長手方向外方に向けて突出するように設けられている。センサの端子部分は、クリップと接続するために露出している必要があるが、センサの端子部分はシート状で強度が低いため、該尿レシーバの製造過程や包装運搬時において、端子部分が露出している部分がこすれたり、途中で折れたりするなど、センサの露出部分が破損しやすいという問題があった。
【０００７】
本発明は、製造過程や包装運搬時において、センサの端子部分が破損しにくい吸収性物品を提供することを目的とする。
【課題を解決するための手段】
【０００８】
（１）排泄部を有する装着対象に前記排泄部を覆うように配置される縦長状の吸収性物品であって、少なくとも一部が液透過性の表面シート部と、液不透過性の裏面シート部と、前記表面シート部と前記裏面シート部との間に該吸収性物品における長手方向に沿うように配置され、前記排泄部から排泄された液体を検知可能な細長状のセンサ部材と、を備え、前記センサ部材の前記長手方向における一端側には、端子部が形成され、第１態様において、前記端子部は、前記表面シート部及び前記裏面シート部により被覆され、第２態様において、前記端子部は、前記表面シート部及び前記裏面シート部により被覆されず外部に露出される吸収性物品。
【０００９】
（２）該吸収性物品における外縁に形成され前記表面シート部と前記裏面シート部とを接合する接合部と、前記外縁における前記長手方向の一端を含む領域に形成され前記表面シート部と前記裏面シート部とが接合されない非接合部と、を備え、前記第１態様において、前記非接合部における前記表面シート部及び前記裏面シート部は互いに積層された状態であって、前記端子部は、前記表面シート部及び前記裏面シート部により被覆され、前記第２態様において、前記非接合部における前記表面シート部及び前記裏面シート部は互いに離間した状態であって、前記端子部は、前記表面シート部と前記裏面シート部とに被覆されず外部に露出される（１）に記載の吸収性物品。
【００１０】
（３）前記非接合部に形成され前記表面シート部と前記裏面シート部とを離間可能に仮止めする仮止め部と、をさらに備える（２）に記載の吸収性物品。
【００１１】
（４）前記センサ部材は、第１部材と、前記第１部材に積層配置されると共に、前記第１部材に積層された状態で前記長手方向に摺動可能な前記端子部を有する第２部材と、を備え、前記第１態様において、前記第２部材は該吸収性物品における外縁よりも内側に配置されて、前記端子部は、前記表面シート部及び前記裏面シート部により被覆され、前記第２態様において、前記第２部材は前記長手方向における外側に摺動して、前記端子部は、前記表面シート部及び前記裏面シート部により被覆されず外部に露出される（１）に記載の吸収性物品。
【００１２】
（５）該吸収性物品の長手方向における一方の端部側の前記表面シート部及び前記裏面シート部には、該吸収性物品の幅方向に延びるように複数の切り込み部が間欠的に形成され、前記表面シート部及び前記裏面シート部における前記複数の切り込み部から前記一方の端部までの端部領域は、該吸収性物品から分離可能であり、前記第１態様において、前記表面シート部及び前記裏面シート部は互いに積層された状態であって、前記端子部は、前記表面シート部及び前記裏面シート部により被覆され、前記第２態様において、前記端部領域は該吸収性物品から分離されて、前記端子部は、前記表面シート部と前記裏面シート部とに被覆されず外部に露出される（１）に記載の吸収性物品。
【００１３】
（６）前記複数の切り込み部の前記長手方向における他端側には、前記複数の切り込み部と略平行に他の切り込み部が複数形成され、前記複数の切り込み部と前記複数の他の切り込み部との間の領域は、該吸収性物品から分離可能である（５）に記載の吸収性物品。
【００１４】
（７）前記複数の切り込み部は、前記表面シート部又は前記裏面シート部それぞれにおける平均剛性よりも高剛性である高剛性領域に形成される（５）又は（６）に記載の吸収性物品。
【００１５】
（８）該吸収性物品における外縁に形成され前記表面シート部と前記裏面シート部とを接合する接合部と、前記外縁における前記長手方向の一端を含む領域に形成され前記表面シート部と前記裏面シート部とが接合されない非接合部と、を備え、前記第１態様において、前記表面シート部及び前記裏面シート部は互いに積層された状態であって、前記端子部は、前記表面シート部及び前記裏面シート部により被覆され、前記第２態様において、前記表面シート部及び前記裏面シート部における前記一端が前記長手方向における内側に移動され、前記端子部は、前記表面シート部と前記裏面シート部とに被覆されず外部に露出される（１）に記載の吸収性物品。
【００１６】
（９）前記表面シート部及び／又は前記裏面シート部における前記一端側には、前記第１態様から前記第２態様へ変更させるための操作態様を指示する案内表示を備える（１）から８のいずれかに記載の吸収性物品。
【発明の効果】
【００１７】
本発明によれば、製造過程や包装運搬時において、センサの端子部分が破損しにくい吸収性物品を提供することができる。
【発明を実施するための最良の形態】
【００１８】
以下、本発明の好適な実施形態について図を用いて説明する。
図１は、本発明の第１実施形態における尿パッド１００を使用したシステム１の概要を示す図である。図２（Ａ）は、本発明の第１実施形態における尿パッド１００の構造を示す平面図である。図２（Ｂ）は、センサ部材１１０の構造を示す平面図である。図３は、本発明の第１実施形態における尿パッド１００の構造を説明する裏面図である。図４（Ａ）は、本発明の第１実施形態における尿パッド１００の前方縁１８０側を示す拡大正面図である。図４（Ｂ）は、本発明の第１実施形態における尿パッド１００の前方縁１８０端部において、出力端子部１１５が露出した状態を示す拡大正面図である。図５は、本発明の第１実施形態における尿パッド１００の前方縁１８０側において出力端子部１１５と入力端子２５０とが接続された状態を示す拡大裏面図である。図６は、本発明の第１実施形態における尿パッド１００の包装状態を示す平面図である。図７は、本発明の第２実施形態における尿パッド１００の前方縁１８０側を示した拡大正面図である。図８（Ａ）は、本発明の第３実施形態における尿パッド１００の前方縁１８０側を示す拡大裏面図である。図８（Ｂ）は、本発明の第３実施形態における尿パッド１００の前方縁１８０端部において、出力端子部１１５が露出した状態を示す拡大裏面図である。図９（Ａ）は、本発明の第４実施形態における尿パッド１００の前方縁１８０側を示す拡大裏面図である。図９（Ｂ）は、本発明の第４実施形態における尿パッド１００の前方縁１８０端部において、切り取り線１３３により切り取られる状態を示す図である。図９（Ｃ）は、本発明の第４実施形態における尿パッド１００の前方縁１８０端部において、出力端子部１１５が露出した状態を示す拡大裏面図である。図１０（Ａ）は、本発明の第５実施形態における尿パッド１００の前方縁１８０側を示す拡大裏面図である。図１０（Ｂ）は、本発明の第５実施形態における尿パッド１００の前方縁１８０端部において、切り取り部１３６により切り取られる状態を示す図である。図１０（Ｃ）は、本発明の第５実施形態における尿パッド１００の前方縁１８０端部において、出力端子部１１５が露出した状態を示す拡大正面図である。図１１（Ａ）及び図１１（Ｂ）は、本発明の第６実施形態における尿パッド１００の前方縁１８０側における長手方向Ｘ方向の拡大断面図である。図１２（Ａ）は、本発明の第６実施形態における尿パッド１００の前方縁１８０側を示す拡大裏面図である。図１２（Ｂ）は、本発明の第６実施形態における尿パッド１００の前方縁１８０端部において、第２出力端子部５０２が露出した状態を示す拡大裏面図である。
【００１９】
１．  第１実施形態
１．１  全体概要
図１から図６により、本発明の第１実施形態における尿パッドについて説明する。
図１に示すように、尿パッド１００は、被装着者が排泄した排泄物のうち尿等の液体が排泄されたことを装置２０が検知して、ポンプ２１０によりチューブ２３０を介して樹脂製の容器２００に収容するシステム１の一部を構成する吸収性物品として使用される。
【００２０】
当該システム１は、尿パッド１００と、容器２００及びポンプ２１０を含む装置２０とで構成されている。また装置２０は、容器２００と、ポンプ２１０と、ＣＰＵ２２０と、チューブ２３０と、配線２４０とにより構成される。
【００２１】
尿パッド１００は、チューブ２３０と配線２４０とにより装置２０に接続される。詳細には、チューブ２３０は、装置２０の容器２００と尿パッド１００の後述する捕集部１２０とを接続する。そして、装置２０は、尿パッド１００に排泄された尿等の液体を、チューブ２３０を通して容器２００に収容する。
【００２２】
また、配線２４０は、尿パッド１００が有する後述のセンサ部材１１０と装置２０のＣＰＵ２２０とを電気的に接続する。具体的には、センサ部材１１０の一端に形成される端子部としての出力端子部１１５と接続される後述の入力端子２５０及び配線２４０を介してＣＰＵ２２０に接続される。配線２４０は、センサ部材１１０の出力端子部１１５から出力される検知信号等の信号をＣＰＵ２２０に伝える経路として機能する。
【００２３】
本システムは、尿パッド１００のセンサ部材１１０により、排泄された尿等の液体が検知され、その検知信号等をセンサ部材１１０の出力端子部１１５から入力端子２５０及び配線２４０を介してＣＰＵ２２０が受信する。するとＣＰＵ２２０は装置２０のポンプ２１０を駆動させ、尿パッド１００に排泄された尿等の液体をチューブ２３０を通して容器２００に送液し、容器２００に尿等の液体を収容する。
【００２４】
１．２  尿パッド
尿パッド１００は、装着状態において身体側に配置される第１面１０１と、身体と反対側に配置される第２面１０２とを有する縦長状の吸収性物品である。ここで、本発明において吸収性物品とは、液保持性の吸収体を有するものだけでなく、機械的に液体を吸収するものを含む。具体的には、装置２０により液体が外部に取り出される尿パッド１００も吸収性物品に含まれる。
【００２５】
尿パッド１００は、図１に示すように、身体の排泄部を覆うように配置され、アウター部材４００と帯状部材３００とにより身体に装着される。具体的には、伸縮可能な帯状部材３００が被介護者の胴回りに沿って環状に配置され、尿パッド１００の長手方向Ｘの一端側が帯状部材３００に係止されている。そして、尿パッド１００は、その一端が帯状部材３００に係止された状態で被介護者の排泄部を覆うようにして身体に装着される、さらに尿パッド１００を覆うようにアウター部材４００が装着される。アウター部材４００としては、例えばオムツのような腰回りに装着される下穿き類を挙げることができる。
【００２６】
また、尿パッド１００は、図２（Ａ）に示すように、第１面１０１側に配置される液透過性の表面シート部１０５と、第２面１０２側に配置される液不透過性の裏面シート部１０６と、排尿及び排便を検知するセンサ部材１１０と、排出された尿を捕集してチューブ２３０へ導出する捕集部１２０とを有する。表面シート部１０５における幅方向Ｙの両側には、尿パッド１００を身体に装着した状態において身体側に立ち上がるように変形し、ソケイ部に直接当接されるギャザー１５８、１５８が形成される。
【００２７】
表面シート部１０５は、複数のシートにより構成される。具体的には、図２（Ａ）に示すように、表面シート部１０５は、尿パッド１００における第１面１０１側に配置される液透過性シート１６０と前方縁１８０側に配置される第１シート１６１及び後方縁１９０側に配置される第２シート１６２により構成される。液透過性シート１６０は、尿パッド１００の幅方向Ｙにおける中央部に長手方向Ｘに延びるように配置され、排泄部から排泄される尿等の液体を透過させる。液透過性シート１６０は、尿パッド１００の長手方向Ｘにおける両端部近傍には配置されない。尿パッド１００の長手方向Ｘにおける両端には、後述する第１シート１６１及び第２シート１６２それぞれが配置される。
【００２８】
ここで、前方縁１８０とは、尿パッド１００を身体に装着した場合に、身体の前側に配置される側の端部をいう。また、後方縁１９０とは、尿パッド１００を身体に装着した場合に、身体の後ろ側に配置される側の端部をいう。
【００２９】
第１シート１６１は、液不透過性シートにより構成され、センサ部材１１０における出力端子部１１５側を覆うように配置される。第１シート１６１は、尿パッド１００の前方縁１８０側においては、裏面シート部１０６と接合されていない。第１シート１６１と裏面シート部１０６との態様の詳細については後述する。
【００３０】
第２シート１６２は、液不透過部１６２ａと液透過部１６２ｂとを有し、液透過部１６２ｂは便センサ部１１３を覆うように配置され、液不透過部１６２ａは第２シート１６２における前方縁１８０側に配置され、尿等の液体をせき止める。
【００３１】
図３に示すように、裏面シート部１０６は、液不透過性シートにより構成され、第２面１０２全体を構成するように配置される。裏面シート部１０６は、排泄部から排泄された尿等の液体の透過を防ぐと共に、後述する捕集部１２０に尿等の液体を導くように機能する。
【００３２】
そして、尿パッド１００の外周縁は、少なくとも前方縁１８０側の端部近傍を除く領域において表面シート部１０５及び裏面シート部１０６が互いに接合された接合部１３０が形成される。また、前方縁１８０側の端部を含む領域は、表面シート部１０５と前記裏面シート部１０６とが互いに接合されない非接合部１３７となる。具体的には、接合部１３０は、後方縁１９０側から前方縁１８０側にかけて少なくとも尿パッド１００の長手方向Ｘにおける長さの半分以上について、表面シート部１０５と裏面シート部１０６とが互いに接合されることにより形成される。また、接合部１３０は、センサ部材１１０が配置され、身体の排泄部が当接する幅方向Ｙ中央の領域以外の部分がホットメルト接着材により接合される。具体的には、図２（Ａ）における斜線部が接合部１３０となる。
【００３３】
センサ部材１１０は、図１（Ａ）に示すように、尿パッド１００の幅方向Ｙ略中央に配置される。また、センサ部材１１０は、長手方向Ｘに延びるように配置される。センサ部材１１０は、出力端子部１１５と、尿センサ部１１２と、便センサ部１１３を有する。出力端子部１１５は、センサ部材１１０における前方縁１８０側の端部に形成される。尿センサ部１１２は、センサ部材１１０の長手方向Ｘにおける中央部から後方縁１９０の間に形成され、便センサ部１１３は、センサ部材１１０の長手方向Ｘにおける後方縁１９０側の端部に配置される。
【００３４】
センサ部材１１０は、ポリエチレンフィルム等の可撓性であるフィルム１１０ａに導電性塗料を印刷して形成される。具体的には、センサ部材１１０は、図２（Ｂ）に示すように、フィルム１１０ａにおける一方の面に電極１１６ａ、１１６ｂ及び電極１１７ａ、１１７ｂを形成するよう導電性塗料を塗布すると共に、電極１１６ａ、１１６ｂ及び電極１１７ａ、１１７ｂを覆うようフィルム１１０ｂを積層配置することで形成される。
【００３５】
出力端子部１１５は、図２（Ｂ）に示すように、尿センサ部１１２と電気的に接続される第１コネクタ部１１５ａ、１１５ｂ、及び便センサ部１１３と電気的に接続される第２コネクタ部１１５ｃ、１１５ｄを有する。出力端子部１１５が形成される領域には、フィルム１１０ｂは配置されない。つまり、センサ部材１１０において、第１コネクタ部１１５ａ、１１５ｂ及び第２コネクタ部１１５ｃ、１１５ｄは外部に露出される。
【００３６】
外部に露出された第１コネクタ部１１５ａ、１１５ｂ及び第２コネクタ部１１５ｃ、１１５ｄは、入力端子２５０に形成される不図示の各コネクタ部それぞれに当接して電気的に接続される。これにより、第１コネクタ部１１５ａ、１１５ｂ又は第２コネクタ部１１５ｃ、１１５ｄとから出力される検知信号等は、入力端子２５０に配置される各コネクタを介してＣＰＵ２２０に出力される。
【００３７】
尿センサ部１１２は、電極１１６ａ、１１６ｂの一部が露出されることにより形成される第１極部１１２ａ、１１２ｂが互いに電気的に接続されることで排尿を検知する。具体的には、排出された尿により第１極部１１２ａ、１１２ｂが電気的に接続されることで、排尿を検知する。
【００３８】
排出された尿により第１極部１１２ａ、１１２ｂが電気的に接続されることで、尿センサ部１１２から検知結果情報としての検知信号が出力される。この検知信号は、第１コネクタ部１５０ａ、１５０ｂから出力され、入力端子２５０及び配線２４０を介してＣＰＵ２２０に入力される。検知信号が入力されることで、ＣＰＵ２２０はポンプ２１０を駆動させる。
【００３９】
便センサ部１１３は、尿が流れてこず、かつ、便が排泄される位置に配置される。また、便センサ部１１３の上面には、第２シート１６２における液透過部１６２ｂが配置される。つまり、排泄部から便が液透過部１６２ｂ上に排出された場合、便センサ部１１３の電極１１７ａ、１１７ｂの一部が露出されることにより形成される第２極部１１３ａ、１１３ｂ同士が便に含まれる水分により電気的に接続され、排便が検知される。
【００４０】
電極１１７ａ、１１７ｂが電気的に接続されることで、便センサ部１１３から検知結果情報としての検知信号が出力される。この検知信号は、第２コネクタ部１１５ｃ、１１５ｄから出力され、入力端子２５０及び配線２４０を介してＣＰＵ２２０に入力される。検知信号が入力された場合、ＣＰＵ２２０は排便がなされたことを知らせる不図示のランプを点灯させる。
【００４１】
捕集部１２０は、表面シート部１０５の液透過性シート１６０を透過して流れてくる尿を好適に捕集する。捕集部１２０の底面には、該底面を貫通する通液路を有するチューブ接続部１２１（図３参照）が形成される。チューブ接続部１２１には、チューブ２３０が通液可能に連結される。そして、チューブ２３０と間接的に連結されるポンプ２１０が駆動することで、捕集部１２０に捕集された尿は容器２００に吸引される。
【００４２】
１．３  前方縁側の態様
図４、図５に示すように、尿パッド１００の前方縁１８０側には、センサ部材１１０の出力端子部１１５が配置される。そして、出力端子部１１５を覆うように表面シート部１０５及び裏面シート部１０６が離間可能に積層配置される。つまり、出力端子部１１５は、第１態様である未使用時において、表面シート部１０５及び裏面シート部１０６により被覆された状態となっており、第２態様である使用時においては出力端子部１１５が露出される。
【００４３】
具体的には、センサ部材１１０は、表面シート部１０５及び裏面シート部１０６の長手方向Ｘにおける長さと略同一の長さか、又は長さが若干短くなるように形成される。そして、表面シート部１０５を構成する第１シート１６１と裏面シート部１０６とにより被覆された状態となっている。
【００４４】
第１シート１６１及び裏面シート部１０６は、尿パッド１００における前方縁１８０側の端部において互いに接合されていない非接合部１３７を有する。非接合部１３７は、図４（Ａ）に示すように、前方縁１８０側の端部を含む領域において、表面シート部１０５を構成する第１シート１６１と裏面シート部１０６とが互いに接合されず、厚さ方向に離間可能な領域である。出力端子部１１５は、第１シート１６１と裏面シート部１０６との間に配置され、その第１面１０１側を第１シート１６１、第２面１０２側が裏面シート部１０６に覆われている。
【００４５】
そして、尿パッド１００の使用時において、センサ部材１１０の出力端子部１１５を装置２０側の入力端子１５０に接続する際には、図４（Ｂ）に示すように、第１シート１６１の前方縁１８０側端部は第１面１０１側に折り返され、裏面シート部１０６の前方縁１８０側端部は第２面１０２側に折り返されて出力端子部１１５が露出される。
【００４６】
図５に示すように、露出された出力端子部１１５は、装置２０の配線２４０に接続されている入力端子２５０により装置２０と電気的に接続される。入力端子２５０は、出力端子部１１５における第１面１０１側及び第２面１０２側の両面を挟み込むようにして取り付けられ、入力端子２５０に形成される不図示のコネクタ部と、出力端子部１１５に形成される各コネクタ部とが当接されることで電気的に接続される。
【００４７】
また、図６に示すように、尿パッド１００の包装形態は、尿パッド１００を長手方向Ｘ略中央から二つ折りにされた状態で、包装シート１７０に包装される。具体的には、出力端子部１１５は、表面シート部１０５及び裏面シート部１０６により被覆された状態で包装シート１７０に包装される。包装シート１７０は、二つ折りにされた尿パッド１００全体を包んだ後、一方の端部に配置された包装テープ１７１により当該端部が係止される。また、長手方向Ｘの両側部は、例えばホットメルト接着材又はエンボス加工により包装シート１７０が互いに接合され、尿パッド１００が封入される。
【００４８】
第１実施形態においては、積層配置される表面シート部１０５と裏面シート部１０６とを不使用時から使用時の態様へ変更させるための操作態様を指示する案内表示を備えてもよい。例えば、後述の第２実施形態のように、表面シート部１０５と裏面シート部１０６とを厚さ方向へ離間させる方向を示す矢印を挙げることができる。なお、案内表示はこれに限らず、ドットや操作を指示する文字であってもよい。
【００４９】
第１実施形態によれば、尿パッド１００の第１態様である不使用時において出力端子部１１５が表面シート部１０５及び裏面シート部１０６により被覆されている。これにより、尿パッド１００の製造過程や包装運搬時において出力端子部１１５が露出されない。したがって、出力端子部１１５において電極が露出されている第１コネクタ部及び第２コネクタ部が破損したり、センサ部材１１０自体が折れて破損することを防止することができる。
【００５０】
第１実施形態によれば、出力端子部１１５は、尿パッド１００の不使用時においては第１シート１６１及び裏面シート部１０６により被覆されているが、第２態様である使用時においては露出される。具体的には、第１シート１６１と裏面シート部１０６とは、前方縁１８０側の端部において互いに接合されておらず、厚さ方向に離間可能となっており、出力端子部１１５は容易な操作により露出される。これにより、出力端子部１１５が装置２０の入力端子２５０に接続可能となる。
【００５１】
２．  他の実施形態
図６から図１２により他の実施形態について説明する。第２実施形態から第５実施形態は、尿パッド１００の前方縁１８０側における表面シート部１０５及び裏面シート部１０６の態様が異なる。第６実施形態は、出力端子部１１５、表面シート部１０５及び裏面シート部１０６の態様が異なる。以下、第１実施形態における尿パッド１００との相違点を中心に説明する。なお、以下の実施形態において特に説明しない部分は、第１実施形態と同様であり、図に付した番号も第１実施形態と同様である場合は、同じ番号を付している。
【００５２】
２．１  第２実施形態
図７に示すように、本実施形態における尿パッド１００は、非接合部１３７において、表面シート部１０５と裏面シート部１０６とが仮止め部１３１により仮止めされた状態となっている。具体的には、表面シート部１０５と裏面シート部１０６との前方縁１８０側は、接合部１３０により互いに接合されず、仮止め部１３１により所定の力で離間可能な状態に維持される。
【００５３】
仮止め部１３１は、表面シート部１０５及び裏面シート部１０６における出力端子部１１５が配置される領域の幅方向Ｙ両側近傍にそれぞれ形成される。言い換えればセンサ部材１１０の幅方向Ｙ両側近傍の領域に仮止め部１３１が形成される。
【００５４】
また、表面シート部１０５と裏面シート部１０６とを接合する仮止め部１３１の接合力は、接合部１３０における接合力に比べて弱くなるように形成される。具体的には、仮止め部１３１は、センサ部材１１０の幅方向Ｙ両側における一部分の領域についてエンボス加工を行うことにより圧着接合される。そして、使用時には、表面シート部１０５と裏面シート部１０６とをそれぞれ厚さ方向に離間させるようにすることにより、仮止め部１３１による仮止めを解除する。
【００５５】
仮止め部１３１による仮止めを解除することにより、表面シート部１０５と裏面シート部１０６とが厚さ方向に離間可能となり、図４（Ｂ）に示すように出力端子部１１５が露出される。
【００５６】
また、図７に示すように、装着過程における操作方法を示すような案内表示となる指示標１４０、１４０を形成してもよい。具体的には、表面シート部１０５において厚さ方向に引き上げて仮止め部１３１による仮止めを解除することを示す方向を示す矢印を形成することができる。指示標１４０、１４０を形成するには、表面シート部１０５に印刷することにより形成することができる。また、指示標１４０、１４０は、裏面シート部１０６にも形成することができる。
【００５７】
また、指示標１４０、１４０は、仮止め部１３１を兼ねてもよい。具体的には、矢印型のエンボス加工を施すことにより表面シート部１０５と裏面シート部１０６とを圧着接合することができる。これにより、矢印型の仮止め部１３１が形成され、同時に指示標１４０としても機能する。また、指示標１４０の形状は、矢印とは限らず、使用者が操作を認識できる様な形状であればよい。例えば、ドット、花形、三角等の形状であってよい。
【００５８】
第２実施形態のように仮止め部１３１を有することにより、尿パッド１００を装着する際に、出力端子部１１５と入力端子２５０とを接続させる直前まで出力端子部１１５を被覆することができる。また、出力端子部１１５が露出されるまでは表面シート部１０５と裏面シート部１０６とが離間されない。このため、尿パッド１００の装着過程において、離間した表面シート部１０５と裏面シート部１０６とが操作の妨げになることを防止することができる。
【００５９】
２．２  第３実施形態
図８（Ａ）、（Ｂ）により、第３実施形態における尿パッド１００について説明する。第３実施形態における尿パッド１００は、前方縁１８０の所定箇所において表面シート部１０５と裏面シート部１０６とが接合されている点で第１実施形態と異なる。
【００６０】
第３実施形態においては、尿パッド１００は、その前方縁１８０の幅方向Ｙ両側部において表面シート部１０５と裏面シート部１０６とが積層された状態で接合された接合部となる第２接合部１３２、１３２が形成される。
【００６１】
第２接合部１３２は、図８（Ａ）及び図８（Ｂ）に示すように、接合部１３０とは連続しない。つまり、接合部１３０と第２接合部１３２との間には、表面シート部１０５と裏面シート部１０６とが接合されていない非接合部１３７が形成されている。つまり、尿パッド１００の外縁における長手方向Ｘの一端含む領域である前方縁１８０の幅方向Ｙ中央部は、表面シート部１０５と裏面シート部１０６とは接合されていない。この表面シート部１０５と裏面シート部１０６とが互いに接合されていない領域が非接合部１３７となる。また、外縁における前方縁１８０側の端部において非接合部１３７の幅方向Ｙ中央部の幅は、センサ部材１１０の幅よりも広くなっている。
【００６２】
不使用時には、表面シート部１０５と裏面シート部１０６とが互いに積層された状態であり、センサ部材１１０の出力端子部１１５は、表面シート部１０５及び裏面シート部１０６に被覆された状態となっている。
【００６３】
使用時においては、図８（Ｂ）に示すように、センサ部材１１０の出力端子部１１５が露出される。具体的には、表面シート部１０５及び裏面シート部１０６の前方縁１８０側端部は、第２接合部１３２により接合された状態を維持したまま、センサ部材１１０に沿うように長手方向Ｘの内側（後方縁１９０側）へ移動される。これにより、出力端子部１１５は、表面シート部１０５と裏面シート部１０６とにより被覆されず、外部に露出される。
【００６４】
接合部１３０と第２接合部１３２との間に表面シート部１０５と裏面シート部１０６とが接合されない非接合部１３７が形成されることにより、前方縁１８０側の端部における表面シート部１０５及び裏面シート部１０６は円滑に後方縁１９０側に移動される。具体的には、表面シート部１０５と裏面シート部１０６とが接合されない非接合部１３７の表面シート部１０５及び裏面シート部１０６は、端部が移動されるにしたがって厚さ方向における互いに離間する方向に略凸状に突出するように折り曲げられる。これにより、表面シート部１０５と裏面シート部１０６とは円滑に移動が可能となる。
【００６５】
また、図８（Ａ）、（Ｂ）に示すように、前方縁１８０側の端部を移動させる方向を示す案内表示となる指示標１４１を表面シート部１０５及び／又は裏面シート部１０６に形成してもよい。これにより、装着する際の操作を使用者に容易に案内することができる。
【００６６】
第２実施形態によれば、前方縁１８０における幅方向の両側部において表面シート部１０５及び裏面シート部１０６を接合することにより、尿パッド１００の装着時における操作を妨げることなく、出力端子部１１５を被覆し、かつ使用時には出力端子部１１５を露出することができる。これにより、出力端子部１１５を使用の直前まで保護することができる。
【００６７】
２．３  第４実施形態
図９（Ａ）、（Ｂ）、（Ｃ）により、第４実施形態について説明する。第４実施形態においては、第２接合部１３２Ａが尿パッド１００の外周縁全体に形成されている。そして、前方縁１８０側の端部から後方縁１９０側へ向けた所定の位置に、幅方向Ｙ全体に延びるように複数の切り込み部１３４が間欠的に形成され、切り取り線１３３を形成する。そして、切り取り線１３３から前方縁１８０側の端部までの領域は、尿パッド１００から分離可能である。
【００６８】
また、表面シート部１０５及び裏面シート部１０６は、互いに積層された状態であって、外周縁部分を除いて接合されていない。そして、出力端子部１１５は、切り取り線１３３よりも前方縁１８０側に位置するように配されている。つまり、不使用時においては、センサ部材１１０の出力端子部１１５は、互いに積層された状態であって、互いに接合されていない表面シート部１０５及び裏面シート部１０６により被覆された状態となる。
【００６９】
切り取り線１３３は、表面シート部１０５及び裏面シート部１０６の所定の位置に、幅方向Ｙに延びるように形成される。詳細には、切り取り線１３３は、尿パッド１００の長手方向Ｘにおける前方縁１８０側の所定の位置に、幅方向Ｙに延びるように切り込み部１３４が断続的に形成されることにより形成される。
【００７０】
使用時においては、切り取り線１３３の幅方向Ｙにおけるいずれか一方の端部から他方の端部へ向けて、切り取り線１３３に沿って表面シート部１０５及び裏面シート部１０６の前方縁１８０側の端部が切り取られることにより出力端子部１１５が露出される。具体的には、図９（Ｂ）、（Ｃ）に示すように、切り取り線１３３の幅方向Ｙにおける一方の端部が把持されて、表面シート部１０５及び裏面シート部１０６の前方縁１８０側の端部が前方縁１８０側へ引っ張られる。これにより切り込み部１３４が連続的に接続され表面シート部１０５及び裏面シート部１０６の前方縁１８０側の端部が切り取られる。
【００７１】
切り取り線１３３に沿うように形成される近傍の領域１３５は、表面シート部１０５及び裏面シート部１０６の他の領域の平均剛性よりも高剛性であることが好ましい。剛性を高く形成することにより、切り取り線１３３に沿って切り取る際に領域１３５がガイドの役割を果たし、切り取り線１３３以外の領域がちぎれてしまうことを防止することができる。
【００７２】
また、切り取り線１３３におけるいずれか一方の端部側であって、表面シート部１０５及び／又は裏面シート部１０６には、不使用時の態様から使用時への態様へ変更させるための操作態様を案内する案内表示である指示標１４２、１４３を形成してもよい。例えば、切り取り線１３３により切り取られる側には、引っ張る方向を示す矢印のような指示標１４２が形成される。また、切り取り線１３３により切り取られない側には、把持する位置を示すようなドットや四角等のような指示標１４３が形成される。なお、指示標１４２、１４３の形状についてはこれに限られない。これにより、装着する際の操作を使用者に容易に案内することができる。
【００７３】
第４実施形態においては、切り取り線１３３は表面シート部１０５及び裏面シート部１０６に形成されるが、いずれか一方のみに形成されてもよい。この場合には、切り取り線１３３により表面シート部１０５又は裏面シート部１０６を切り離した後、切り離されない側のシート部を折り返すことにより、出力端子部１１５が露出される。
【００７４】
第４実施形態においては、センサ部材１１０の出力端子部１１５は、不使用時において表面シート部１０５及び裏面シート部１０６により被覆されるため、製造過程や包装運搬時において出力端子部１１５が破損することを防止することができる。
【００７５】
本実施形態においては、表面シート部１０５及び裏面シート部１０６における切り取り線１３３から前方縁１８０側端部の部分を切り取ることができるため、使用時において出力端子部１１５を被覆していた部分が被介護者の動作を妨げることがない。
【００７６】
２．４  第５実施形態
図１０（Ａ）、（Ｂ）により第５実施形態について説明する。第５実施形態における尿パッド１００は、第２接合部１３２Ｂが尿パッド１００の外周縁全体に形成されている。そして、前方縁１８０側の端部から後方縁１９０側へ向けた所定の位置に、幅方向Ｙに延びるように切り取り部１３６が形成される。
【００７７】
切り取り部１３６は、表面シート部１０５及び裏面シート部１０６の前方縁１８０側端部から所定の位置において幅方向Ｙに延びるように形成される。また、切り取り部１３６は、幅方向Ｙに延びるように複数の切り込み部１３４ａが間欠的に形成されることにより形成される切り取り線１３３ａと略平行して形成される他の切り込み部１３４ｂが形成されることにより形成される切り取り線１３３ｂの間の領域である。切り取り線１３３ａ、１３３ｂは、表面シート部１０５及び裏面シート部１０６に形成される。したがって、切り取り線１３３ａ、１３３ｂに挟まれた領域である切り取り部１３６は、尿パッド１００を幅方向Ｙに一周するように形成される。切り取り線１３３ｂよりも前方縁１８０側においては、表面シート部１０５及び裏面シート部１０６は、外周縁部分を除いて接合されていない。そして、出力端子部１１５は、切り取り線１３３ｂよりも前方縁１８０側に位置するように配されている。
【００７８】
不使用時においては、センサ部材１１０の出力端子部１１５は積層配置された表面シート部１０５及び裏面シート部１０６により被覆された状態となる。一方で、使用時においては、切り取り部１３６の幅方向Ｙにおける一方の端部側を、他方の端部側に向けてはぎ取るように引っ張ることにより、切り取り部１３６が切り取り線１３３ａ、１３３ｂに沿って切り取られる。
【００７９】
これにより、切り取り部１３６から前方縁１８０側の端部までの領域が尿パッド１００から分離される。そしてセンサ部材１１０の出力端子部１１５が露出される。
【００８０】
切り取り部１３６の幅方向Ｙにおける一方の端部側には、不使用時の態様から使用時への態様へ変更させるための操作態様を案内する案内表示である指示標１４４を形成してもよい。指示標１４４は、第２実施形態における指示標１４０と同様である。指示標１４４が形成されることにより、これにより、装着する際の操作を使用者に容易に案内することができる。
【００８１】
尚、切り取り部１３６は、表面シート部１０５及び裏面シート部１０６の両方のシート部に形成されるのではなく、いずれか一方のシート部にのみ形成されてもよい。この場合には、切り取り部１３６が形成されないシート部の前方縁１８０側の端部は切り取られない。したがって、センサ部材１１０は、切り取り部１３６が切り取られた後に形成される開口から引き出すようにして露出される。また、図１０（Ｃ）に示すように、切り取られない側のシート部は、尿パッド１００における厚さ方向外方側に折り返された状態となる。
【００８２】
第５実施形態によれば、センサ部材１１０の出力端子部１１５は、不使用時において表面シート部１０５及び裏面シート部１０６により被覆されるため、製造過程や包装運搬時において出力端子部１１５が破損することを防止することができる。また、切り取り部１３６を切り取ることにより、容易にセンサ部材１１０の出力端子部１１５を被覆された状態から露出した状態にすることができる。
【００８３】
２．５  第６実施形態
図１１（Ａ）、（Ｂ）、図１２（Ａ）、（Ｂ）により第６実施形態について説明する。第６実施形態においては、第１部材となるセンサ部材１１０の前方縁１８０側の端部に第２部材となる第２センサ部材５００が摺動可能に積層配置される。また、センサ部材１１０及び第２センサ部材５００が配置される領域の前方縁１８０側以外の外周縁に沿う領域には、第２接合部１３２Ｃが形成される。
【００８４】
第２センサ部材５００は、センサ部材１１０の長手方向Ｘにおける長さよりも短くなるように形成される。また、第２センサ部材５００における後方縁１９０側の端部には、幅方向Ｙ外方に突出するように突起部５１０、５１０が形成される。
【００８５】
第２センサ部材５００は、図１１（Ａ）、（Ｂ）に示すように、センサ部材１１０の表面シート部１０５側に積層配置される。そして、第２センサ部材５００におけるセンサ部材１１０との当接面側に、第２入力端子部５０１が形成され、該第２入力端子部５０１がセンサ部材１１０との出力端子部１１５と当接することにより電気的に接続される。
【００８６】
また、第２センサ部材５００における前方縁１８０側の端部には、第２出力端子部５０２が形成される。そして第２出力端子部５０２に上述した入力端子２５０が接続される。第６実施形態においては、第２出力端子部５０２は、図１１（Ａ）、（Ｂ）に示すように、第２センサ部材５００におけるセンサ部材１１０との当接面側に形成されている。
【００８７】
第２センサ部材５００には、センサ部材１１０と同様に、ポリエチレンフィルム等の可撓性であるフィルム５００ａに導電性塗料を印刷して形成される。具体的には、フィルム５００ａの一方の面に電極を形成するように導電性塗料を塗布すると共に、形成された電極を覆うようにフィルム５００ｂが積層配置される。そして、第２センサ部材５００における後方縁１９０側には、第２入力端子部５０１が形成される。第２入力端子部５０１は、センサ部材１１０における第１コネクタ部１１５ａ、１１５ｂ、及び第２コネクタ部１１５ｃ、１１５ｄに対向する位置に、電極が露出されることにより形成される不図示の導電部がそれぞれ形成され、それぞれが導電可能に積層配置される。
【００８８】
また第２出力端子部５０２は、装置２０の入力端子２５０が接続される第３コネクタ部５０２ａ、５０２ｂ及び第４コネクタ部５０２ｃ、５０２ｄから構成されている。第３コネクタ部５０２ａ、５０２ｂは、センサ部材１１０における尿センサ部１１２からの検知信号等を入力端子２５０側に出力する。また、第４コネクタ部５０２ｃ、５０２ｄは、便センサ部１１３からの検知信号等を入力端子２５０側に出力する。
【００８９】
第３コネクタ部５０２ａ、５０２ｂ及び第４コネクタ部５０２ｃ、５０２ｄは、入力端子２５０における不図示のコネクタ部と、第２出力端子部５０２に形成される各コネクタ部とが当接されることで電気的に接続される。
【００９０】
第２センサ部材５００は、センサ部材１１０に摺動可能に積層配置される。尿パッド１００の不使用時には、第２センサ部材５００は、図１２（Ａ）に示すように、表面シート部１０５及び裏面シート部１０６により被覆された状態となる。そして、使用時において、第２センサ部材５００が摺動されて前方縁１８０側に移動された場合には、図１２（Ｂ）に示すように、第２出力端子部５０２が露出された状態となる。
【００９１】
第２センサ部材５００が前方縁１８０側の端部に移動されると突起部５１０が第２接合部１３２Ｃに掛止され、これより長手方向Ｘ外方への移動が制限される。第２接合部１３２Ｃは、外周縁に沿うように形成されてよいが、外周縁におけるセンサ部材１１０及び第２センサ部材５００が配置される配置領域の幅方向Ｙ両側において、長手方向Ｘの内方側へ突出するように突起状に形成されてもよい。このような形状に形成することにより、第２接合部１３２Ｃが突起部５１０と掛合してストッパーとしての機能を発揮する。
【００９２】
第６実施形態においては、センサ部材１１０の出力端子部１１５は、第２センサ部材５００が長手方向Ｘに摺動して第２入力端子部５０１が当接する範囲全体に形成されているがこれに限らない。例えば、出力端子部１１５は、第２センサ部材５００を最も前方縁１８０側に移動させた場合に、第２センサ部材５００の第２入力端子部５０１が当接する範囲のみに形成されてもよい。つまり、第２センサ部材５００が最も前方縁１８０側に移動されたときにのみセンサ部材１１０と第２センサ部材５００とで導通が可能となる。
【００９３】
また、第６実施形態においては、第２センサ部材５００をセンサ部材１１０に積層配置しているがこれに限られない。例えば、センサ部材１１０の前方縁１８０端部側において、凹凸を交互に連続的に形成することができる。つまり、センサ部材１１０の前方縁１８０端部側をいわゆる蛇腹状に形成することにより、最も圧縮した状態において出力端子部１１５が表面シート部１０５及び裏面シート部１０６により被覆され、蛇腹状となったセンサ部材１１０を延伸させた状態において出力端子部１１５を露出させることができる。また、いわゆる蛇腹状ではなく、センサ部材１１０をＺ状に一回折り返してもよい。
【００９４】
第６実施形態によれば、第２センサ部材５００の第２出力端子部５０２は、不使用時において表面シート部１０５及び裏面シート部１０６により被覆されるため、製造過程や包装運搬時において出力端子部が破損することを防止することができる。また、第２センサ部材５００を前方縁１８０外方側に引き出すことにより、第２出力端子部５０２を容易に被覆された状態から露出した状態にすることができる。
【００９５】
本発明における他の実施形態として第２実施形態から第６実施形態について説明したが、前方縁１８０における表面シート部１０５及び裏面シート部１０６の態様としてはこれらに限られない。例えば、センサ部材１１０の出力端子部１１５を覆う他の部材を用いて不使用時においては、他の部材が出力端子部１１５を被覆し、使用時において他の部材を取り外して出力端子部１１５を露出させるようにしてもよい。また、第１実施形態においては、表面シート部１０５及び裏面シート部１０６が厚さ方向に離間可能としているが、第３実施形態又は第４実施形態のように、非接合部１３７の所定の位置に切り取り線を設け、前方縁１８０側の端部領域と尿パッド１００とを切り離すようにしてもよい。
【図面の簡単な説明】
【００９６】
【図１】本発明の第１実施形態における尿パッドを使用したシステムの概要を示す図である。
【図２】本発明の第１実施形態における尿パッドの構造を示す平面図である。
【図３】本発明の第１実施形態における尿パッドの構造を説明する裏面図である。
【図４】本発明の第１実施形態における尿パッドの包装状態を示す平面図である。
【図５】本発明の第１実施形態における尿パッドの前方縁側を示す拡大裏面図である。
【図６】本発明の第１実施形態における尿パッドの前方縁側を示す拡大裏面図である。
【図７】本発明の第２実施形態における尿パッドの前方縁側を示す拡大正面図である。
【図８】本発明の第３実施形態における尿パッドの前方縁側を示す拡大裏面図である。
【図９】本発明の第４実施形態における尿パッドの前方縁側を示す拡大裏面図である。
【図１０】本発明の第５実施形態における尿パッドの前方縁端部における拡大裏面図である。
【図１１】本発明の第６実施形態における尿パッドの前方縁側を長手方向に切断した場合における拡大断面図である。
【図１２】本発明の第６実施形態における尿パッドの前方縁側を示す拡大裏面図である。
【符号の説明】
【００９７】
２０  装置
１００  尿パッド
１０１  第１面
１０２  第２面
１０５  表面シート部
１０６  裏面シート部
１１０  センサ部材
１１５  出力端子部
１２０  捕集部
１３０  接合部
１３１  仮止め部
１３３  切り取り線
１３６  切り取り部
１４０  指示標
２５０  入力端子
５００  第２センサ部材
【図１】
2008272051.tif 000003
【図２】
2008272051.tif 000004
【図３】
2008272051.tif 000005
【図４】
2008272051.tif 000006
【図５】
2008272051.tif 000007
【図６】
2008272051.tif 000008
【図７】
2008272051.tif 000009
【図８】
2008272051.tif 000010
【図９】
2008272051.tif 000011
【図１０】
2008272051.tif 000012
【図１１】
2008272051.tif 000013
【図１２】
2008272051.tif 000014